(57)【要約】【課題】  膨大な販売促進情報から所望の販売促進情報を容易に取り出すことのできる販売促進情報提供システムを提供すること。【解決手段】  サーバーコンピュータ１０１に記憶されている販売促進情報をこのサーバーコンピュータ１０１にネットワーク１０２を通じて接続されているクライアントコンピュータ１０３にウェブサイトを介して提供する販売促進情報提供システム１００であって、このウェブサイトでは、販売促進情報へのリンクデータが、販売促進の内容別、業種別、期間別、地域別、その他属性別に分類されていることを特徴とする販売促進情報提供システム１００を提供する。【選択図】    図１
2005141444.tif 000002
【特許請求の範囲】
【請求項１】
サーバーコンピュータに記憶されている販売促進情報を前記サーバーコンピュータにネットワークを通じて接続されているクライアントコンピュータにウェブサイトを介して提供する販売促進情報提供システムであって、
前記ウェブサイトでは、前記販売促進情報へのリンクデータが、販売促進の内容別、業種別、期間別、地域別及びその他属性別の分類項目に分類されていることを特徴とする販売促進情報提供システム。
【請求項２】
前記販売促進の内容別の分類項目は、割引販売・割引提供別、特定権利付与券の提供別、プレゼントの提供別、特価商品別、の小分類項目により分類されていることを特徴とする請求項１に記載の販売促進情報提供システム。
【請求項３】
前記業種別の分類項目は、総合小売店別、専門店別、役務別、その他業種別、の小分類項目により分類されていることを特徴とする請求項１又は２に記載の販売促進情報提供システム。
【請求項４】
前記期間別の分類項目は、現時点で享受することができる販売促進別、現日付において享受することができる日付別、期間の定めのない販売促進別、の小分類項目により分類されていることを特徴とする請求項１乃至３の何れか一項に記載の販売促進情報提供システム。
【請求項５】
前記地域別の分類項目は、特定地点からの特定範囲別、行政区分地域別、の小分類項目により分類されていることを特徴とする請求項１乃至４の何れか一項に記載の販売促進情報提供システム。
【請求項６】
前記特定地点は、前記クライアントコンピュータにおいて行政区画区分及び地番または行政区画区分及び住居表示により特定されることを特徴とする請求項５に記載の販売促進情報提供システム。
【請求項７】
前記特定地点は、ＧＰＳを用いることにより得られる現在地であることを特徴とする請求項５に記載の販売促進情報提供システム。
【請求項８】
前記特定範囲は、前記クライアントコンピュータにおいて、任意の半径又は直径を指定することにより、前記特定地点を中心として指定された半径又は直径の円により特定されることを特徴とする請求項５乃至７の何れか一項に記載の販売促進情報提供システム。
【請求項９】
前記その他属性別の分類項目は、マスコミで紹介された商品・役務別、売れ筋の商品・役務別、予約・取り置き可能別、無料配布・無料提供別、特定の割引率以上の割引率別、特定の時間帯でも享受可能別、の小分類項目により分類されていることを特徴とする請求項１乃至８の何れか一項に記載の販売促進情報提供システム。
【請求項１０】
前記クライアントコンピュータは、携帯用情報端末であることを特徴とする請求項１乃至９の何れか一項に記載の販売促進情報提供システム。
【請求項１１】
前記携帯用情報端末は、ノート型パーソナルコンピュータ、携帯電話又はＰＤＡであることを特徴とする請求項１０に記載の販売促進情報提供システム。
【請求項１２】
コンピュータを請求項１乃至１１の何れか一項に記載されたサーバーコンピュータとして機能させるためのプログラム。
【請求項１３】
サーバーコンピュータに記憶されている販売促進情報を前記サーバーコンピュータにネットワークを通じて接続されているクライアントコンピュータにウェブサイトを介して提供する販売促進情報提供方法であって、
前記ウェブサイトでは、前記販売促進情報へのリンクデータデータが、販売促進の内容別、業種別、期間別、地域別、その他属性別の分類項目に分類されていることを特徴とする販売促進情報提供方法。
【請求項１４】
前記販売促進の内容別の分類項目は、割引販売・割引提供別、特定権利付与券の提供別、プレゼントの提供別、特価商品別の小分類項目により分類されていることを特徴とする請求項１３に記載の販売促進情報提供方法。
【請求項１５】
前記業種別の分類項目は、総合小売店別、専門店別、役務別、その他業種別の小分類項目により分類されていることを特徴とする請求項１又は２に記載の販売促進情報提供方法。
【請求項１６】
前記期間別の分類項目は、現時点で享受することができる販売促進別、現日付において享受することができる日付別、期間の定めのない販売促進別の小分類項目により分類されていることを特徴とする請求項１３乃至１５の何れか一項に記載の販売促進情報提供方法。
【請求項１７】
前記地域別の分類項目は、特定地点からの特定範囲別、行政区分地域別の小分類項目により分類されていることを特徴とする請求項１３乃至１６の何れか一項に記載の販売促進情報提供方法。
【請求項１８】
前記特定地点は、前記クライアントコンピュータにおいて行政区画区分及び地番または行政区画区分及び住居表示により特定されることを特徴とする請求項１７に記載の販売促進情報提供方法。
【請求項１９】
前記特定地点は、ＧＰＳを用いることにより得られる現在地であることを特徴とする請求項１７に記載の販売促進情報提供方法。
【請求項２０】
前記特定範囲は、前記クライアントコンピュータにおいて、任意の半径又は直径を指定することにより、前記特定地点を中心として指定された半径又は直径の円により特定されることを特徴とする請求項１７乃至１８の何れか一項に記載の販売促進情報提供方法。
【請求項２１】
前記その他属性別の分類項目の中は、マスコミで紹介された商品・役務別、売れ筋の商品・役務別、予約・取り置き可能別、無料配布・無料提供別、特定の割引率以上の割引率別、特定の時間帯でも享受可能別の小分類項目により分類されていることを特徴とする請求項１３乃至２０の何れか一項に記載の販売促進情報提供方法。
【請求項２２】
前記クライアントコンピュータは、携帯用情報端末であることを特徴とする請求項１３乃至２１の何れか一項に記載の販売促進情報提供方法。
【請求項２３】
前記携帯用情報端末は、ノート型パーソナルコンピュータ、携帯電話又はＰＤＡであることを特徴とする請求項２２に記載の販売促進情報提供方法。
【発明の詳細な説明】
【技術分野】
【０００１】
本発明は、割引販売、特定権利付与券（クーポン）の提供やプレゼントの提供といった販売促進を行うことを告知する販売促進情報を提供するためのシステム又は方法に関する。
【背景技術】
【０００２】
サーバーコンピュータにネットワークを通じて接続されているクライアントコンピュータに割引販売、特定権利付与券（クーポン）の提供やプレゼントの提供といった販売促進情報を提供するウェブサイトが従来から使用されている（例えば、特許文献１又は２参照）。
【特許文献１】特開２００１−３５７２７９号公報
【特許文献２】特開２００２−１５０１４８号公報
【発明の開示】
【発明が解決しようとする課題】
【０００３】
しかしながら、従来のウェブサイトでは、販売促進情報が膨大であり、しかもこの販売促進情報が適切に分類されていなかったため、所望の販売促進情報を取り出すのが困難であり、さらには、所望の販売促進情報を探し出すことができない場合もあった。
【０００４】
そこで、本発明は、膨大な販売促進情報から所望の販売促進情報を容易に取り出すことのできる販売促進情報提供システム又は販売促進情報提供方法を提供することを目的とする。
【課題を解決するための手段】
【０００５】
以上の課題を解決するため、本発明は、サーバーコンピュータに記憶されている販売促進情報を前記サーバーコンピュータにネットワークを通じて接続されているクライアントコンピュータにウェブサイトを介して提供する販売促進情報提供システムであって、前記ウェブサイトでは、前記販売促進情報へのリンクデータが、販売促進の内容別、業種別、期間別、地域別、その他属性別の分類項目に分類されていることを特徴とする販売促進情報提供システムを提供する。
【０００６】
このように、販売促進情報へのリンクデータが、販売促進の内容別、業種別、期間別、地域別、その他属性別の分類項目で分類されていることにより、容易に所望する販売促進情報を取り出すことができるようになる。
【０００７】
ここで、販売促進の内容別の分類項目は、割引販売・割引提供別、特定権利付与券の提供別、プレゼントの提供別、特価商品別の小分類項目に分類することで、所望する販売促進情報の内容によって販売促進情報を絞り込むことができ、より効率的に所望の販売促進情報を取り出すことができるようになる。
【０００８】
また、業種別の分類項目は、総合小売店別、専門店別、役務別、その他業種別の小分類項目により分類することで、所望する販売促進情報を提供する業種によって絞り込むことができるため、より効率的に所望の販売促進情報を取り出すことができるようになる。
【０００９】
また、期間別の分類項目は、現時点で享受することができる販売促進別、現日付において享受することができる日付別、期間の定めのない販売促進別の小分類項目により分類することで、所望する販売促進情報が提供される期間によって絞り込むことができるため、より効率的に所望の販売促進情報を取り出すことができるようになる。
【００１０】
また、地域別の分類項目は、特定地点からの特定範囲別、行政区分地域別の小分類項目により分類することで、所望する販売促進情報が提供される地域によって絞り込むことができるため、より効率的に所望の販売促進情報を取り出すことができるようになる。
【００１１】
また、この特定地点は、クライアントコンピュータにおいて行政区画区分及び地番または行政区画区分及び住居表示により特定することができるようにすると便利である。
【００１２】
さらに、この特定地点は、ＧＰＳを用いることにより得られる現在地により特定されるようにすることで、行政区分等が判らない場合でも、現住所を頼りに販売促進情報を絞り込むことができるようになる。
【００１３】
ここで、特定範囲としては、クライアントコンピュータにおいて、任意の半径又は直径を指定することにより、特定地点を中心として指定された半径又は直径の円により特定されるようにすることが望ましい。
【００１４】
また、その他属性別の分類項目は、マスコミで紹介された商品・役務別、売れ筋の商品・役務別、予約・取り置き可能別、無料配布・無料提供別、特定の割引率以上の割引率別、特定の時間帯でも享受可能別の小分類項目により分類することで、商品や役務の属性により所望する販売促進情報を絞り込むことができるため、より効率的に所望の販売促進情報を取り出すことができるようになる。
【００１５】
ここで、携帯用情報端末をクライアントコンピュータとして使用することにより、外出先においても、販売促進情報の提供を受けることができるようになる。
【００１６】
なお、携帯用情報端末は、ノート型パーソナルコンピュータ、携帯電話又はＰＤＡ（Personal Digital Assistant）等を使用することができる。
【００１７】
なお、コンピュータを以上に記載した販売促進情報提供システムに使用されるサーバーコンピュータとして機能させるためのプログラムを提供することにより、汎用のコンピュータを以上に記載したサーバーコンピュータとして使用することができるようになり、便利である。
【００１８】
また、本発明は、サーバーコンピュータに記憶されている販売促進情報を前記サーバーコンピュータにネットワークを通じて接続されているクライアントコンピュータにウェブサイトを介して提供する販売促進情報提供方法であって、前記ウェブサイトでは、前記販売促進情報へのリンクデータが、販売促進の内容別、業種別、期間別、地域別、その他属性別の分類項目に分類されていることを特徴とする販売促進情報提供方法を提供する。
【００１９】
このように、販売促進情報へのリンクデータを、販売促進の内容別、業種別、期間別、地域別、その他属性別の分類項目に分類することにより、容易に所望とする販売促進情報にたどり着くことができるようになる。
【００２０】
ここで、販売促進の内容別の分類項目は、割引販売・割引提供別、特定権利付与券の提供別、プレゼントの提供別、特価商品別の小分類項目により分類することで、所望する販売促進情報の内容によって販売促進情報を絞り込むことができ、より効率的に所望の販売促進情報を取り出すことができるようになる。
【００２１】
また、業種別の分類項目は、総合小売店別、専門店別、役務別、その他業種別の小分類項目により分類することで、所望する販売促進情報を提供する業種によって販売促進情報を絞り込むことができ、より効率的に所望の販売促進情報を取り出すことができるようになる。
【００２２】
また、期間別の分類項目は、現時点で享受することができる販売促進別、現日付において享受することができる日付別、期間の定めのない販売促進別の小分類項目により分類することで、所望する販売促進情報が提供される期間によって販売促進情報を絞り込むことができ、より効率的に所望の販売促進情報を取り出すことができるようになる。
【００２３】
また、地域別の分類項目は、特定地点からの特定範囲別、行政区分地域別の小分類項目により分類することで、所望する販売促進情報が提供される地域によって販売促進情報を絞り込むことができ、より効率的に所望の販売促進情報を取り出すことができるようになる。
【００２４】
ここで、特定地点としては、クライアントコンピュータにおいて行政区画区分及び地番または行政区画区分及び住居表示により特定することができるようにすることで、所望の地域における販売促進情報を取り出すことができる。
【００２５】
また、特定地点は、ＧＰＳ（Global Positioning System）を用いることにより得られる現在地により特定することができるようにすることで、行政区分等が判らない場合でも容易に販売促進情報を取り出すことができるようになる。
【００２６】
なお、特定範囲については、クライアントコンピュータにおいて、任意の半径又は直径を指定することにより、特定地点を中心として指定された半径又は直径の円により特定することができるようにすることが望ましい。
【００２７】
また、その他属性別の分類項目は、マスコミで紹介された商品・役務別、売れ筋の商品・役務別、予約・取り置き可能別、無料配布・無料提供別、特定の割引率以上の割引率別、特定の時間帯でも享受可能別の小分類項目により分類することで、所望する販売促進情報の属性によって販売促進情報を絞り込むことができ、より効率的に所望の販売促進情報を取り出すことができるようになる。
【００２８】
ここで、クライアントコンピュータしては、携帯用情報端末を使用することが可能であり、この携帯用情報端末としては、ノート型パーソナルコンピュータ、携帯電話又はＰＤＡを使用することができる。
【発明の効果】
【００２９】
以上のように、本発明によれば、販売促進情報が膨大であっても、販売促進情報へのリンクデータが、販売促進の内容別、業種別、期間別、地域別、その他属性別に分類されているため、所望の販売促進情報を容易に取り出すことができるようになる。
【発明を実施するための最良の形態】
【００３０】
図１は、本発明の一実施形態に係る販売促進情報提供システム１００の概略構成図である。
【００３１】
本実施形態に係る販売促進情報提供システム１００は、サーバーコンピュータ１０１、ネットワークとしてのインターネット１０２、クライアントコンピュータ１０３により構成されている。
【００３２】
サーバーコンピュータ１０１は、少なくともＣＰＵ（Central Processing Unit）１０４、主メモリ１０５、補助記憶装置１０６及びタイマー１０７とを備えている。
【００３３】
ここで、サーバーコンピュータ１０１の補助記憶装置１０６には、販売促進情報記憶領域１０６ａと、販売促進情報リンクデータ分類記憶領域１０６ｂと、が形成されている。
【００３４】
販売促進情報記憶領域１０６ａには、割引販売・割引提供の情報、特定権利付与券の提供の情報、プレゼントの提供の情報、特価商品の情報といった販売促進情報が記憶されている。
【００３５】
そして、販売促進情報記憶領域１０６ａに記憶されている販売促進情報には、後述するクライアントコンピュータ１０３がウェッブサイト上で所望の販売促進情報を取得するためのリンクデータが作成されており、このリンクデータについては、販売促進の内容別、業種別、期間別、地域別、その他属性別の分類項目に分類されて、サーバーコンピュータ１０１の補助記憶装置１０６の販売促進情報リンクデータ分類記憶領域１０６ｂに記憶されている。
【００３６】
ここで、図２に表されているように、販売促進の内容別の分類項目の中には、割引販売・割引提供別の分類として「割引＆サービスデー」及び「バーゲン＆フェア」の小分類項目が作成されており、特定権利付与券の提供別の分類として「クーポン」の小分類項目が作成されており、プレゼントの提供別の分類として「プレゼント」の小分類項目が作成されており、特価商品別の分類として「特価商品」の小分類項目が作成されている。
【００３７】
「割引＆サービスデー」の小分類項目には、特定の期限において店舗内の特定の商品や施設内で行われる特定の役務についてのみ割引がなされる販売促進情報へのリンクデータが分類されて記憶される。
【００３８】
「バーゲン＆フェア」の小分類項目には、特定の期限において店舗や施設全体で割引が行われる販売促進情報へのリンクデータが分類されて記憶される。
【００３９】
「クーポン」の小分類項目には、特定の権利を付与する旨が記載された券（いわゆるクーポン）を提供する販売促進情報へのリンクデータが分類されて記憶される。
【００４０】
なお、このクーポンについては、紙などの媒体に印刷したものやこのクーポンが表示されている画面を店舗や施設で提示することにより、その特定の権利が与えられるものである。
【００４１】
「プレゼント」の小分類項目には、特定の条件を満たした際に無償又は有償の賞品を受けることができる販売促進情報へのリンクデータが分類されて記憶される。
【００４２】
「特価商品」の小分類項目には、通常の店頭価格よりも特別に値引きされた商品に関する告知を行う販売促進情報へのリンクデータが分類されて記憶される。
【００４３】
また、図２に表されているように、業種別の分類項目の中には、総合小売店別の分類として「コンビニ／スーパー」及び「デパート／ショッピングセンター」の小分類項目が作成されており、専門店別の分類として「ファッション」、「スポーツ＆レジャー」「自動車」及び「その他専門店」の小分類項目が作成されており、役務別の分類として「食べる／飲む」、「ライブ／クラブ」、「見る／遊ぶ」、「美容／健康」、「各種サービス」の小分類項目が作成されており、その他の業種の分類として「その他業種」の小分類項目が作成されている。
【００４４】
「コンビニ／スーパー」の小分類項目には、販売促進情報の提供主体が総合小売りの内コンビニエンスストアやいわゆるスーパーと呼ばれるものである販売促進情報へのリンクデータが分類されて記憶される。
【００４５】
「デパート／ショッピングセンター」の小分類項目には、販売促進情報の提供主体が総合小売りの内デパートやショッピングセンターと呼ばれるものである販売促進情報へのリンクデータが分類されて記憶される。
【００４６】
なお、「コンビニ／スーパー」と「デパート／ショッピングセンター」との間の区別については、店舗規模や社会通念に従って分類すればよい。
【００４７】
「ファッション」の小分類項目には、販売促進情報の提供主体が、衣服、靴、鞄、装身具といったいわゆるファッション関連の専門店である販売促進情報へのリンクデータが分類されて記憶される。
【００４８】
「スポーツ＆レジャー」の小分類項目には、販売促進情報の提供主体が、スポーツ衣服、スポーツ用品、レジャー用品といったいわゆるスポーツ関連やレジャー関連の専門店である販売促進情報へのリンクデータが分類されて記憶される。
【００４９】
「自動車」の小分類項目には、販売促進情報の提供主体が、車やその部品の専門店である販売促進情報へのリンクデータが分類されて記憶される。
【００５０】
「その他専門店」の小分類項目には、販売促進情報の提供主体が、商品の専門店の内「ファッション」、「スポーツ＆レジャー」及び「自動車」の小分類項目に含まれない専門店である販売促進情報へのリンクデータが分類されて記憶される。
【００５１】
「食べる／飲む」の小分類項目には、販売促進情報の提供主体がいわゆる飲食店である販売促進情報へのリンクデータが分類されて記憶される。
【００５２】
「ライブ／クラブ」の小分類項目には、販売促進情報の提供主体が、音楽の生演奏を聴かせるライブハウスやダンススペースを提供するクラブである販売促進情報へのリンクデータが分類されて記憶される。
【００５３】
「見る／遊ぶ」の小分類項目には、販売促進情報の提供主体が、映画館や美術館といった鑑賞用施設やボーリング場などの歓楽施設である販売促進情報へのリンクデータが分類されて記憶される。
【００５４】
「美容／健康」の小分類項目には、販売促進情報の提供主体が、美容院やエステティックサロンなどの美容関連サービスの提供者及びマッサージや整体といった健康関連サービスの提供者である販売促進情報へのリンクデータが分類されて記憶される。
【００５５】
「各種サービス」の小分類項目には、販売促進情報の提供主体が、役務（サービス）の提供者の内「食べる／飲む」、「ライブ／クラブ」、「見る／遊ぶ」及び「美容／健康」の小分類項目に分類することのできない場合の販売促進情報へのリンクデータが分類されて記憶される。
【００５６】
「その他業種」の小分類項目には、販売促進情報の提供主体が、総合小売り、専門店、役務の提供者に分類することができない場合の販売促進情報へのリンクデータが分類されて記憶される。
【００５７】
また、図２に表されているように、期間別の分類項目の中は、現時点で享受することができる販売促進別の分類として「今トク・タイムサービス」の小分類項目が作成されており、現日付において享受することができる日付別の分類として「今日トク」の小分類項目が作成されており、期間の定めのない販売促進別の分類として「定番」の小分類項目が作成されている。
【００５８】
「今トク・タイムサービス」の小分類項目には、サーバーコンピュータ１０１のタイマー１０７により現在の日時を特定し、この特定された現在の日時において提供を受けることができる販売促進を有する販売促進情報へのリンクデータが分類されて記憶される。
【００５９】
「今日トク」の小分類項目には、サーバーコンピュータ１０１のタイマー１０７により現在の日付けを特定し、この特定された現在の日付がにおいて提供を受けることができる販売促進を有する販売促進情報へのリンクデータが分類されて記憶されている。
【００６０】
「定番」の小分類項目には、日時の限定のない販売促進を有する販売促進情報へのリンクデータが分類されて記憶されている。
【００６１】
また、図２に表されているように、地域別の分類項目の中は、特定地点からの特定範囲別の分類として「半径○○ｍおとく」の小分類項目が作成されており、行政区分地域別の分類として「市町村郡区等」の小分類項目が作成されている。
【００６２】
「半径○○ｍおとく」の小分類項目には、クライアントコンピュータ１０３により後述のようにして地理的範囲内が指示された場合に、この地理的範囲内で提供を受けることができる販売促進を有する販売促進情報へのリンクデータが分類されて記憶される。
【００６３】
ここで、クライアントコンピュータ１０３においては、行政区画区分及び地番または行政区画区分及び住居表示を特定することにより特定地点を指示し、さらに、この特定地点から任意の半径を指示することにより、その特定地点を中心として指示された半径によって描かれる円の内部を上述の地理的範囲として特定することができる。
【００６４】
「市町村郡区等」の小分類項目には、クライアントコンピュータ１０３により行政区分が指示された場合に、この行政区分において提供を受けることができる販売促進を有する販売促進情報へのリンクデータが分類されて記憶される。
【００６５】
また、図２に表されているように、その他属性別の分類項目の中は、マスコミで紹介された商品・役務別の分類として「マスコミで紹介された商品／サービス」の小分類項目が作成されており、売れ筋の商品・役務別の分類として「売れ筋ランキング」の小分類項目が作成されており、予約・取り置き可能別の分類として「予約／取り置き」の小分類項目が作成されており、無料配布・無料提供別の分類として「無料サービス」の小分類項目が作成されており、特定の割引率以上の割引率別の分類として「超割」の小分類項目が作成されており、特定の時間帯でも享受可能別の分類として「特時」の小分類項目が作成されている。
【００６６】
「マスコミで紹介された商品／サービス」の小分類項目には、新聞、雑誌、テレビ等のマスメディアによって紹介された商品やサービスに関する販売促進情報へのリンクデータが分類されて記憶されている。
【００６７】
「売れ筋ランキング」の小分類項目には、売上数量の多い商品のランキングや提供回数の多い役務のランキングを提示する販売促進情報へのリンクデータが分類され記憶されている。
【００６８】
「予約／取り置き」の小分類項目には、予約や取り置きをすることができる商品や役務に関する販売促進情報へのリンクデータが分類され記憶されている。
【００６９】
「無料サービス」の小分類項目には、無料で配布される物や無料で提供される役務に関する販売促進情報へのリンクデータが分類され記憶されている。
【００７０】
「超割」の小分類項目には、「割引＆サービスデー」、「バーゲン＆フェア」及び「特価商品」の小分類項目に分類されたリンクデータを有する販売促進情報の内、特定の割引率よりも大きな割行き率を有するもの、本実施形態では、割引率が５０％以上のものである販売促進情報へのリンクデータが分類され記憶されている。
【００７１】
「特時」の小分類項目には、特殊な時間、本実施形態では、２４時から８時までの深夜においても提供を受けることができる販売促進を有する販売促進情報へのリンクデータが分類されて記憶されている。
【００７２】
なお、以上に記載した小分類項目の項目名についてはこれらの限定されるわけではない。
【００７３】
クライアントコンピュータ１０３としては、図示していないが、少なくとも、ＣＰＵ、補助記憶装置、主メモリ、表示装置及び入力装置を有するものを使用することが可能であり、本実施形態においては、インターネット１０２への接続機能を有する携帯電話１０３ａ、ＰＤＡ１０３ｂ又はノート型パーソナルコンピュータ１０３ｃを使用しているがこれらに限定されるわけではない。
【００７４】
ここで、サーバーコンピュータ１０１とクライアントコンピュータ１０３とは、インターネット１０２を介して相互に情報の送受信をすることができるようにされている。
【００７５】
以上のように構成されている販売促進情報提供システム１００における販売促進情報の取得方法について図３に示すフローチャートを用いて説明する。
【００７６】
クライアントコンピュータ１０３から、インターネット１０２を通じてサーバーコンピュータ１０１のウェブサイトにアクセスする（Ｓ２１０）。
【００７７】
ウェブサイト上に形成されている「販売促進の内容」、「業種」、「期間」、「地域」、「その他属性」の分類項目から所望の販売促進情報が含まれていると思われる分類項目を選択する（Ｓ２１１）。
【００７８】
なお、これらの分類項目の選択は、ウェブサイト上にこれらの分類項目名を付したボタンを設けておき、これらボタンから所望の分類項目のボタンを入力装置で選択し実行することにより行うことができる。
【００７９】
そして、選択した分類項目の中を再度分類している小分類項目、例えば、Ｓ２１１で「販売促進の内容」の分類項目を選択した場合には、この中に含まれている「割引＆サービスデー」、「バーゲン＆フェア」、「クーポン」、「プレゼント」又は「特価商品」の小分類項目の内から所望する販売促進情報が含まれていると思われる小分類項目を選択する（Ｓ２１２）。
【００８０】
なお、小分類項目の選択についても、ウェブサイト上にこれらの小分類項目名を付したボタンを設けておき、これらボタンから所望の小分類項目のボタンを入力装置で選択し実行することにより行うことができる。
【００８１】
ここで、Ｓ２１２において、「地域」の分類項目に含まれている「半径○○ｍおとく」の小分類項目を選択した場合には、クライアントコンピュータ１０３の入力装置により行政区画区分及び地番または行政区画区分及び住居表示をウェブサイトに入力することにより特定地点を入力し（Ｓ２１３）、さらに、その入力装置で任意の半径をウェブサイトに入力することにより（Ｓ２１４）、その特定地点を中心として入力された半径によって描かれる円の内部に含まれる地理的範囲内で提供される販売促進に関する販売促進情報へのリンクデータの一覧が表示装置に表示され（Ｓ２１６）、いずれかのリンクデータを選択することにより（ＳＳ２１７）、クライアントコンピュータ１０３にサーバーコンピュータ１１０から販売促進情報が送信される（Ｓ２１８）。
【００８２】
また、Ｓ２１２において「地域」の分類項目に含まれている「市町村郡区等」の小分類項目を選択した場合には、クライアントコンピュータ１０３の入力装置により、任意の行政区画区分を入力することにより（Ｓ２１５）、この行政区画区分内で提供される販売促進に関する販売促進情報へのリンクデータの一覧が表示装置に表示され（ＳＳ２１６）、いずれかのリンクデータを選択することにより（Ｓ２１７）、クライアントコンピュータ１０３にサーバーコンピュータ１１０から販売促進情報が送信される（Ｓ２１８）。
【００８３】
ここで、Ｓ２１２において「半径○○ｍおとく」及び「市町村郡区等」の小分類項目が選択されなかった場合には、「半径○○ｍおとく」及び「市町村郡区等」以外の小分類項目に含まれる販売促進情報へのリンクデータの一覧が表示装置に表示されて（Ｓ２１６）、いずれかのリンクデータを選択することにより（Ｓ２１７）、クライアントコンピュータ１０３にサーバーコンピュータ１１０から販売促進情報が送信される（Ｓ２１８）。
【００８４】
なお、本実施形態においては、「半径○○ｍおとく」の小分類項目を選択した場合には、クライアントコンピュータ１０３の入力装置により行政区画区分及び地番または行政区画区分及び住居表示をウェブサイトに入力することにより特定地点を入力するようにしているが（Ｓ２１３）、クライアントコンピュータ１０３にＧＰＳ機能がある場合には、この特定地点につき、ＧＰＳを用いることにより得られる現在地により特定することも可能である。
【００８５】
以上のように、本実施形態に係る販売促進情報提供システム１００を構成したので、サーバーコンピュータ１１０に記憶されている販売促進情報へのリンクデータが分類項目及び小分類項目に分類されており、クライアントコンピュータ１０３から容易に所望の販売促進情報を探し出すことができるようになる。
【図面の簡単な説明】
【００８６】
【図１】本発明の一実施形態に係る販売促進情報提供システム１００の概略構成図。
【図２】販売促進情報へのリンクデータを分類する分類一覧を表す概念図。
【図３】販売促進情報提供システム１００における販売促進情報の取得方法を示すフローチャート。
【符号の説明】
【００８７】
１００  販売促進情報提供システム
１０１  サーバーコンピュータ
１０２  インターネット
１０３  クライアントコンピュータ
【図１】
2005141444.tif 000003
【図２】
2005141444.tif 000004
【図３】
2005141444.tif 000005